(57)【特許請求の範囲】
【請求項１】
表示部及びカメラを備える情報処理装置であって、
同意の要求に係る同意情報及び前記カメラが撮影する画像を表示する撮影画像領域を共に、前記表示部に表示する処理を行う表示処理部と、
前記撮影画像領域に表示された同意行為者の顔画像を取得する顔画像取得部と、
前記顔画像取得部が取得した顔画像を記憶部に記憶する処理を行う記憶処理部と
を備え、
前記表示処理部は、
前記同意情報を前記表示部においてスクロールして表示し、
前記スクロールにおける前記同意情報の後に、当該同意情報と共に前記撮影画像領域を前記表示部に表示する、
情報処理装置。
【請求項２】
前記表示処理部は、前記同意情報及び前記撮影画像領域と共に、同意行為に係る操作を受け付けるための操作受付部を前記表示部に表示し、
前記カメラが撮影した画像に含まれる顔を検出する顔検出部を備え、
前記顔検出部が顔を検出している場合に、前記操作受付部に対する操作を受け付け、
前記顔検出部が顔を検出していない場合に、前記操作受付部に対する操作を受け付けない、
請求項１に記載の情報処理装置。
【請求項３】
同意行為者に係る情報の入力を受け付ける情報受付部を備え、
前記記憶処理部は、前記情報受付部が受け付けた情報と、前記顔画像とを対応付けて記憶する、
請求項１又は請求項２に記載の情報処理装置。
【請求項４】
前記表示部に表示された前記同意情報及び前記撮影画像領域のスクリーンショット画像を取得するスクリーンショット取得部を備え、
前記記憶処理部は、前記スクリーンショット取得部が取得したスクリーンショット画像と、前記顔画像とを対応付けて記憶する、
請求項１乃至請求項３のいずれか１つに記載の情報処理装置。
【請求項５】
同意行為を同意者に代理して代理者が行う場合に、前記同意者及び前記代理者に係る情報を受け付ける情報受付部を備え、
前記記憶処理部は、前記情報受付部が受け付けた情報と、前記顔画像とを対応付けて記憶する、
請求項１乃至請求項４のいずれか１つに記載の情報処理装置。
【請求項６】
前記同意行為を前記同意者が行うか又は前記代理者が代理して行うかに応じて、前記同意者を撮影する際の前記カメラによる撮影の方向を切り替える切替部を備える、
請求項５に記載の情報処理装置。
【請求項７】
前記記憶処理部が記憶した顔画像に基づいて、前記カメラにより撮影された画像に含まれる同意者又は未同意者を検出する、
請求項１乃至請求項６のいずれか１つに記載の情報処理装置。
【請求項８】
請求項１乃至請求項７のいずれか１つに記載の情報処理装置と、
前記情報処理装置の記憶処理部の処理により前記顔画像を記憶する前記記憶部を有する記憶装置と
を備え、
前記情報処理装置の前記記憶処理部は、前記顔画像取得部が取得した顔画像を前記記憶装置へ送信して、当該記憶装置の前記記憶部に記憶させる、
情報処理システム。
【請求項９】
表示部及びカメラを備えるコンピュータに、
同意の要求に係る同意情報を表示部においてスクロールして表示し、
前記スクロールにおける前記同意情報の後に、当該同意情報と共に、前記カメラが撮影する画像を表示する撮影画像領域を前記表示部に表示し、
前記撮影画像領域に表示された同意行為者の顔画像を取得し、
取得した顔画像を記憶する
処理を行わせる、コンピュータプログラム。
【請求項１０】
カメラを備える情報処理装置の表示部に、同意の要求に係る同意情報をスクロールして表示し、
前記スクロールにおける前記同意情報の後に、当該同意情報と共に、前記カメラが撮影する画像を表示する撮影画像領域を前記表示部に表示し、
前記撮影画像領域に表示された同意行為者の顔画像を取得し、
取得した顔画像を記憶する、
情報処理方法。
【発明の詳細な説明】
【技術分野】
【０００１】
本発明は、利用者から同意に関する情報を収集する情報処理装置、情報処理システム、コンピュータプログラム及び情報処理方法に関する。
【背景技術】
【０００２】
近年、ウェブサービス及びスマートフォンのアプリ（アプリケーション）等のようにオンラインで提供されるサービスが広く利用されている。このようなサービスの提供者は、例えば個人情報の取扱いに対する同意及びサービスの利用規約に対する同意等を、サービスの利用者、個人情報の提供者又はこれらの代諾者から取得する必要がある。
【０００３】
特許文献１においては、ユーザ登録時の契約内容の確認及び契約同意を容易化するための通知メールをユーザの情報端末に送信する機能を備えるコンテンツ配信システムが記載されている。このコンテンツ配信システムでは、利用規約の印刷が未処理の仮登録ユーザに対して利用規約の印刷を促進する電子メールを送信する。
【先行技術文献】
【特許文献】
【０００４】
【特許文献１】特開２００１−２８２４６９号公報
【発明の概要】
【発明が解決しようとする課題】
【０００５】
従来のサービスでは、個人情報の取扱い又はサービスの利用規約等に対する同意行為を行った者が誰であったかを証明する方法がなかった。このため、第三者のなりすましにより同意行為が行われる虞があった。
【０００６】
本発明は、斯かる事情に鑑みてなされたものであって、その目的とするところは、同意行為を行った者に関する情報を記録しておくことができる情報処理装置、情報処理システム、コンピュータプログラム及び情報処理方法を提供することにある。
【課題を解決するための手段】
【０００７】
一実施形態に係る情報処理装置は、表示部及びカメラを備える情報処理装置であって、同意の要求に係る同意情報及び前記カメラが撮影する画像を表示する撮影画像領域を共に、前記表示部に表示する処理を行う表示処理部と、前記撮影画像領域に表示された同意行為者の顔画像を取得する顔画像取得部と、前記顔画像取得部が取得した顔画像を記憶部に記憶する処理を行う記憶処理部とを備え、前記表示処理部は、前記同意情報を前記表示部においてスクロールして表示し、前記スクロールにおける前記同意情報の後に、当該同意情報と共に前記撮影画像領域を前記表示部に表示する。
【発明の効果】
【０００８】
一実施形態によれば、同意行為を行った者に関する情報を記録しておくことができる。
【図面の簡単な説明】
【０００９】
【図１】本実施の形態に係る情報処理システムの概要を説明するための模式図である。
【図２】本実施の形態に係る情報処理システムの概要を説明するための模式図である。
【図３】本実施の形態に係るスマートフォンの構成を示すブロック図である。
【図４】本実施の形態に係るサーバ装置の構成を示すブロック図である。
【図５】同意情報ＤＢの一構成例を示す模式図である。
【図６】同意行為者選択画面の一例を示す模式図である。
【図７】同意者情報入力画面の一例を示す模式図である。
【図８】同意画面の一例を示す模式図である。
【図９】同意画面の一例を示す模式図である。
【図１０】同意ボタンが有効化された同意画面の一例を示す模式図である。
【図１１】同意者代諾者情報入力画面の一例を示す模式図である。
【図１２】同意者撮影画面の一例を示す模式図である。
【図１３】本実施の形態に係るスマートフォンが行う同意取得処理の手順を示すフローチャートである。
【図１４】本実施の形態に係るスマートフォンが行う同意取得処理の手順を示すフローチャートである。
【図１５】本実施の形態に係るサーバ装置が行う同意取得処理の手順を示すフローチャートである。
【図１６】スマートフォン１に表示される探索画面の一例を示す模式図である。
【発明を実施するための形態】
【００１０】
本発明の実施形態に係る情報処理システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００１１】
＜システム概要＞
図１及び図２は、本実施の形態に係る情報処理システムの概要を説明するための模式図である。本実施の形態に係る情報処理システムは、サービスを利用するユーザが所持する情報処理装置（コンピュータ）であるスマートフォン１と、このユーザにサービスを提供するサーバ装置３とを備えて構成されている。本実施の形態に係る情報処理システムにおいてサーバ装置３は、ユーザに提供するサービスについて、例えば利用規約に対する同意又は個人情報の取扱いに対する同意等をユーザから取得し、取得した同意に関する情報を記憶しておく機能を備えている。
【００１２】
なお、サーバ装置３がユーザに対して提供するサービスはどのようなサービスであってもよい。また、サービスを提供するサーバ装置と、同意に関する情報を記憶するサーバ装置とを別の装置として設けてもよい。またユーザが使用する情報処理装置はスマートフォン１に限らず、例えばパーソナルコンピュータ、タブレット型端末装置、スマートスピーカ又は携帯電話機等の装置であってよい。
【００１３】
本実施の形態において、利用規約に対する同意又は個人情報の取扱いに対する同意等を行うユーザを「同意者」という。本実施の形態に係る情報処理システムでは、利用規約又は個人情報の取扱い等に関する情報がスマートフォン１に表示され、これらの情報を確認した同意者は例えばスマートフォン１に表示された所定のボタンに対するタップ（タッチ）操作を行うことで、利用規約又は個人情報の取扱い等に対する同意の意志表示を行うことができる。本実施の形態において、同意者がスマートフォン１により行う同意の意志表示の行為を「同意行為」という。また本実施の形態において、同意行為を行った者を「同意行為者」という。図１に示す例は、同意者と同意行為者とが同一人物（ユーザ）である場合の例である。
【００１４】
本実施の形態に係る情報処理システムでは、図２に示すように、同意者となるべきユーザが例えば体が不自由である又は年少者である等の理由により同意行為を行うことができない場合に、同意者の代理となる者が同意者に代わって同意行為を行うことが認められる。本実施の形態においては、同意者に代わって同意行為を行う者を「代諾者」という。またこの場合には、同意行為を行った代諾者が「同意行為者」となる。代諾者は、同意者に十分な同意能力がない場合に、同意者本人に代わって同意することが正当であると認められる者である。代諾者には、例えば親、子、配偶者、後見人、保護者、監督者、教員又はコーチ等がなり得るが、これらに限るものではない。
【００１５】
本実施の形態に係る情報処理システムでは、同意行為を行った同意行為者の顔を含む画像（以下、「顔画像」という）をスマートフォン１が撮影してサーバ装置３へ送信し、サーバ装置３が同意行為者の顔画像を記憶する。図１に示す例では同意者の顔画像が撮影され、図２に示す例では代諾者の顔画像が撮影されてサーバ装置３に保存される。ただし図２に示す例において、代諾者と共に同意者の顔画像を撮影して記憶してもよい。
【００１６】
＜装置構成＞
図３は、本実施の形態に係るスマートフォン１の構成を示すブロック図である。本実施の形態に係るスマートフォン１は、処理部１１、記憶部（ストレージ）１２、カメラ１３、通信部（トランシーバ）１４、表示部（ディスプレイ）１５及び操作部１６等を備えて構成されている。
【００１７】
処理部１１は、ＣＰＵ（Central Processing Unit）又はＭＰＵ（Micro-Processing Unit）等の演算処理装置、ＲＯＭ（Read Only Memory）、及び、ＲＡＭ（Random Access Memory）等を用いて構成されている。処理部１１は、記憶部１２に記憶されたプログラム１２ａを読み出して実行することにより、同意に関する情報の表示、同意行為の受け付け及び顔画像を撮影等に係る種々の処理を行う。
【００１８】
記憶部１２は、例えばフラッシュメモリなどの不揮発性のメモリ素子を用いて構成されている。記憶部１２は、処理部１１が実行する各種のプログラム、及び、処理部１１の処理に必要な各種のデータを記憶する。本実施の形態において記憶部１２は、処理部１１が実行するプログラム１２ａを記憶している。本実施の形態においてプログラム１２ａは遠隔のサーバ装置等により配信され、これをスマートフォン１が通信にて取得し、記憶部１２に記憶する。ただしプログラム１２ａは、例えばスマートフォン１の製造段階において記憶部１２に書き込まれてもよい。例えばプログラム１２ａは、メモリカード又は光ディスク等の記録媒体に記録されたプログラム１２ａをスマートフォン１が読み出して記憶部１２に記憶してもよい。例えばプログラム１２ａは、記録媒体に記録されたものを書込装置が読み出してスマートフォン１の記憶部１２に書き込んでもよい。プログラム１２ａは、ネットワークを介した配信の態様で提供されてもよく、記録媒体に記録された態様で提供されてもよい。
【００１９】
カメラ１３は、ＣＣＤ（Charge Coupled Device）イメージセンサ又はＣＭＯＳ（Complementary Metal Oxide Semiconductor）イメージセンサ等の撮像素子を用いて構成されている。カメラ１３は、例えばスマートフォン１の正面側及び背面側の２ヶ所に設けられている。カメラ１３は、撮像素子により撮影した画像を処理部１１へ与える。また処理部１１は、正面側又は背面側のいずれのカメラ１３を用いて撮影を行うかをカメラ１３指示し、撮影方向の切り替えを行うことができる。
【００２０】
通信部１４は、公衆の携帯電話通信網及びインターネット等を含むネットワークＮを介して、種々の装置との間で通信を行う。本実施の形態において通信部１４は、ネットワークＮを介してサーバ装置３との通信を行う。通信部１４は、処理部１１から与えられたデータをサーバ装置３へ送信すると共に、サーバ装置３から受信したデータを処理部１１へ与える。
【００２１】
表示部１５は、液晶ディスプレイ等を用いて構成されており、処理部１１の処理に基づいて種々の画像及び文字等を表示する。
【００２２】
操作部１６は、例えば機械式のボタン又は表示部１５の表面に設けられたタッチパネル等の入力デバイスによりユーザの操作を受け付け、受け付けた操作を処理部１１へ通知する。
【００２３】
また本実施の形態に係るスマートフォン１は、記憶部１２に記憶されたプログラム１２ａを処理部１１が読み出して実行することにより、表示処理部１１ａ、情報入力受付部１１ｂ、顔検出部１１ｃ、同意行為受付部１１ｄ、顔画像取得部１１ｅ、スクリーンショット取得部１１ｆ、記憶処理部１１ｇ及び切替部１１ｈ等がソフトウェア的な機能部として処理部１１に実現される。
【００２４】
表示処理部１１ａは、表示部１５に種々の文字及び画像等を表示する処理を行う。本実施の形態において表示処理部１１ａは、同意を求める利用規約又は個人情報の取扱いに関する情報の表示、これらに対する同意行為を行うためのボタン等の表示、及び、同意者又は代諾者等に関する情報の入力を受け付けるための画面の表示等を行う。
【００２５】
情報入力受付部１１ｂは、同意に関する情報の入力を受け付ける処理を行う。本実施の形態において情報入力受付部１１ｂは、同意者又は代諾者等の氏名又は住所等の情報の入力を受け付ける。
【００２６】
顔検出部１１ｃは、カメラ１３が撮影した画像中に含まれる人の顔を検出する処理を行う。顔検出部１１ｃによる撮影画像からの顔検出のアルゴリズムについては、既存の技術であるため、詳細な説明を省略する。
【００２７】
同意行為受付部１１ｄは、表示処理部１１ａが表示部に表示した利用規約又は個人情報の取扱い等の同意に係る情報に対する同意行為を受け付ける処理を行う。同意行為受付部１１ｄは、例えば表示部１５に表示された「同意する」のラベルが付されたボタンに対するタップ操作を操作部１６にて受け付けることにより、同意行為者による同意行為の受け付けを行う。なお本実施の形態において同意行為受付部１１ｄは、顔検出部１１ｃがカメラ１３の撮影画像中に顔を検出している場合に同意行為を受け付け、顔を検出していない場合には同意行為を受け付けない。
【００２８】
顔画像取得部１１ｅは、カメラ１３が撮影した同意行為者の顔画像を取得する処理を行う。本実施の形態において顔画像取得部１１ｅは、同意行為受付部１１ｄが同意行為を受け付けた際にカメラ１３が撮影した画像を取得する。
【００２９】
スクリーンショット取得部１１ｆは、表示部１５に表示された文字及び画像等を含む全体の画像をスクリーンショット画像として取得する処理を行う。本実施の形態においてスクリーンショット取得部１１ｆは、同意行為受付部１１ｄが同意行為を受け付けた際に表示部１５のスクリーンショット画像を取得する。
【００３０】
記憶処理部１１ｇは、情報入力受付部１１ｂが受け付けた情報と、顔画像取得部１１ｅが取得した顔画像と、スクリーンショット取得部１１ｆが取得したスクリーンショット画像とを対応付けて記憶するための処理を行う。本実施の形態において記憶処理部１１ｇは、これらの情報を通信部１４にてサーバ装置３へ送信し、サーバ装置３が備えるデータベースにこれらの情報を記憶させる。ただし、記憶処理部１１ｇは、これらの情報を自身の記憶部１２に記憶してもよい。
【００３１】
切替部１１ｈは、カメラ１３による撮影方向の切り替えを制御する処理を行う。本実施の形態においては、例えばスマートフォン１の正面側及び背面側の２ヶ所にカメラ１３が設けられている。切替部１１ｈは、正面側又は背面側のいずれのカメラ１３を用いて撮影を行うかを決定し、決定した１つのカメラ１３による撮影を行わせる。例えば切替部１１ｈは、同意行為者の顔を撮影する場合には正面側のカメラ１３にて撮影を行い、代諾者が同意者の顔を撮影する場合には背面側のカメラ１３にて撮影を行うよう、カメラ１３による撮影方向の切り替えを行う。
【００３２】
図４は、本実施の形態に係るサーバ装置３の構成を示すブロック図である。本実施の形態に係るサーバ装置３は、処理部３１、記憶部（ストレージ）３２及び通信部（トランシーバ）３３等を備えて構成されている。
【００３３】
処理部３１は、ＣＰＵ又はＭＰＵ等の演算処理装置、ＲＯＭ、及び、ＲＡＭ等を用いて構成されている。処理部３１は、記憶部３２に記憶されたサーバプログラム３２ａを読み出して実行することにより、スマートフォン１に対して同意を要求する処理、スマートフォン１から同意に関する情報を取得して記憶する処理等の種々の処理を行う。
【００３４】
記憶部３２は、例えばハードディスク等の大容量の記憶装置を用いて構成されている。記憶部３２は、処理部３１が実行する各種のプログラム、及び、処理部３１の処理に必要な各種のデータを記憶する。本実施の形態において記憶部３２は、処理部３１が実行するサーバプログラム３２ａを記憶している。また記憶部３２には、スマートフォン１から取得した同意に関する情報を記憶する同意情報ＤＢ（データベース）３２ｂ、及び、スマートフォン１にて撮影された画像を記憶する画像記憶部３２ｃが設けられている。
【００３５】
本実施の形態においてサーバプログラム３２ａは、メモリカード又は光ディスク等の記録媒体９９に記録された態様で提供され、サーバ装置３は記録媒体９９からサーバプログラム３２ａを読み出して記憶部３２に記憶する。ただし、サーバプログラム３２ａは、例えばサーバ装置３の製造段階において記憶部３２に書き込まれてもよい。また例えばサーバプログラム３２ａは、遠隔の他のサーバ装置等が配信するものをサーバ装置３が通信にて取得してもよい。例えばサーバプログラム３２ａは、記録媒体９９に記録されたものを書込装置が読み出してサーバ装置３の記憶部３２に書き込んでもよい。サーバプログラム３２ａは、ネットワークを介した配信の態様で提供されてもよく、記録媒体９９に記録された態様で提供されてもよい。
【００３６】
同意情報ＤＢ３２ｂは、スマートフォン１から送信される同意に関する情報である。同意情報ＤＢ３２ｂの構成については後述する。
【００３７】
画像記憶部３２ｃは、スマートフォン１にて撮影された顔画像及びスクリーンショット画像等の画像を記憶する。上述のように、スマートフォン１から送信される同意に関する情報は同意情報ＤＢ３２ｂに記憶される。ただし、スマートフォン１からの情報に含まれる画像の実体は画像記憶部３２ｃに記憶され、この画像のファイル名又は記憶場所のアドレス等の情報が同意情報ＤＢ３２ｂに記憶される。本実施の形態においては、画像記憶部３２ｃをサーバ装置３が備えるものとするが、これに限るものではなく、サーバ装置３とは異なる記憶装置が画像を記憶する構成であってもよい。
【００３８】
通信部３３は、インターネット、無線ＬＡＮ及び携帯電話通信網等を含むネットワークＮを介して、種々の装置との間で通信を行う。本実施の形態において通信部３３は、ネットワークＮを介して、ユーザのスマートフォン１との間で通信を行う。通信部３３は、処理部３１から与えられたデータを他の装置へ送信すると共に、他の装置から受信したデータを処理部３１へ与える。
【００３９】
なお記憶部３２は、サーバ装置３に接続された外部記憶装置であってよい。またサーバ装置３は、複数のコンピュータを含んで構成されるマルチコンピュータであってよく、ソフトウェアによって仮想的に構築された仮想マシンであってもよい。またサーバ装置３は、上記の構成に限定されず、例えば可搬型の記憶媒体に記憶された情報を読み取る読取部、操作入力を受け付ける入力部、又は、画像を表示する表示部等を含んでもよい。
【００４０】
また本実施の形態に係るサーバ装置３の処理部３１には、記憶部３２に記憶されたサーバプログラム３２ａを処理部３１が読み出して実行することにより、同意要求部３１ａ及び情報取得部３１ｂ等がソフトウェア的な機能部として実現される。なおこれらの機能部は、ユーザから同意を取得する処理に関する機能部であり、これ以外の機能部、例えばユーザに対してサービスを提供するための機能部等については図示及び説明を省略する。
【００４１】
同意要求部３１ａは、サービス提供に関してユーザの同意が必要となった場合に、このユーザのスマートフォン１にユーザからの同意を取得することを要求する処理を行う。例えば同意要求部３１ａは、スマートフォン１にアプリケーションプログラムをダウンロードして利用を開始するユーザに対して、利用規約に対する同意を要求する。また例えば同意要求部３１ａは、ユーザのアプリケーションプログラムの利用に伴ってユーザの個人情報を取得する場合に、個人情報の取扱いに対する同意を要求する。同意要求部３１ａは、同意が必要となった適宜の時点で、同意を取得することを要求する同意要求メッセージをこのユーザのスマートフォン１へ送信する。
【００４２】
情報取得部３１ｂは、同意要求部３１ａの同意要求メッセージに対する応答としてスマートフォン１から送信される情報を取得する処理を行う。情報取得部３１ｂは、例えば同意行為者の氏名又は住所等の情報、同意行為者の顔画像、及び、スクリーンショット画像等の情報をスマートフォン１から取得する。図１に示すように同意行為者が同意者である場合、情報取得部３１ｂは、同意者の氏名又は住所等の情報、同意者の顔画像、及び、スクリーンショット画像等を取得する。図２に示すように同意行為者が代諾者である場合、情報取得部３１ｂは、同意者の氏名又は住所等の情報、代諾者の氏名又は住所等の情報、代諾者の顔画像、及び、スクリーンショット画像等の情報を取得する。この場合に情報取得部３１ｂは、同意者の顔画像を取得してもよく、取得しなくてもよい。情報取得部３１ｂは、取得した情報を記憶部３２の同意情報ＤＢ３２ｂに記憶する。
【００４３】
図５は、同意情報ＤＢ３２ｂの一構成例を示す模式図である。同意情報ＤＢ３２ｂは、例えば「アプリケーションＩＤ」、「同意種別」、「同意日時」、「同意者氏名」、「同意者顔画像」、「代諾者氏名」、「代諾者顔画像」及び「スクリーンショット画像」等の情報を含んで構成されている。
【００４４】
「アプリケーションＩＤ」は、スマートフォン１にて実行されるアプリケーションプログラムを識別するためのＩＤである。本実施の形態においてサーバ装置３は、複数種類のアプリケーションプログラムを提供しており、いずれのアプリケーションプログラムにて同意行為がなされたかを判断するためにアプリケーションＩＤが用いられる。同意行為がなされるアプリケーションプログラムが１つである場合、同意情報ＤＢ３２ｂにはアプリケーションＩＤの情報が含まれていなくてよい。
【００４５】
「同意種別」は、どのような条件又は規約等に対して同意がなされたかを区別するものであり、本実施の形態においては「利用規約」又は「個人情報の取扱い」の２種に対する同意行為がなされるものとする。
【００４６】
「同意日時」は、スマートフォン１にて同意行為を受け付けた日時である。
【００４７】
「同意者氏名」は、スマートフォン１にて入力を受け付けた同意者の氏名の情報である。代諾者が存在しない場合には、この同意者が同意行為者となる。
【００４８】
「同意者顔画像」は、スマートフォン１にて撮影された同意者の顔画像である。同意者が同意行為者である場合には同意行為の時点で同意者顔画像が必要であるが、代諾者が同意行為者となる場合には同意者顔画像は同意行為の時点では必ずしも必要ではない。
【００４９】
「代諾者氏名」は、同意者が同意行為を行うことができずに代諾者が代理で同意行為を行った場合の、この代諾者の氏名の情報である。
【００５０】
「代諾者顔画像」は、スマートフォン１にて撮影された代諾者の顔画像である。同意者が同意行為を行う場合には、代諾者が存在しないため、同意情報ＤＢ３２ｂには代諾者氏名及び代諾者顔画像が記憶されない。代諾者が同意行為者である場合には代諾者指名及び代諾者顔画像が記憶される。
【００５１】
即ち、本実施の形態に係る情報処理システムでは、同意行為を行った同意行為者の顔画像をスマートフォン１が撮影し、撮影された画像をサーバ装置３が記憶する。ここで、同意行為者が同意者本人である場合、同意行為を行った同意者の顔画像がスマートフォン１にて撮影され、同意情報ＤＢ３２ｂに「同意者顔画像」として記憶される。この場合には、「代諾者指名」及び「代諾者顔画像」の情報は同意情報ＤＢ３２ｂに記憶されない。
【００５２】
これに対して、同意者の代理で代諾者が同意行為を行った場合、同意行為を行った代諾者の顔画像がスマートフォン１にて撮影され、同意情報ＤＢ３２ｂに「代諾者顔画像」として記憶される。この場合、「同意者氏名」は代諾者により入力され、同意情報ＤＢ３２ｂに記憶されるが、「同意者顔画像」は同意情報ＤＢ３２ｂに記憶されてもよく、記憶されなくてもよい。この場合に「同意者顔画像」を記憶するか否かは、例えば代諾者の選択に依存してもよく、システム設計等の段階でいずれかに定められてもよい。
【００５３】
「スクリーンショット画像」は、スマートフォン１にて同意行為がなされた際に取得されたスクリーンショット画像である。
【００５４】
本実施の形態では、同意情報ＤＢ３２ｂには同意者顔画像、代諾者顔画像及びスクリーンショット画像として画像ファイルのファイル名又は画像ファイルの格納場所等の情報が記憶され、画像ファイルの実体は記憶部３２の画像記憶部３２ｃに格納される。ただし、同意情報ＤＢ３２ｂに画像ファイルが格納されてもよい。また本図においてこれらの画像はＰＮＧ（Portable Network Graphics）形式とされているが、このファイル形式は一例であって、ＧＩＦ（Graphics Interchange Format）又はＪＰＥＧ（Joint Photographic Experts Group）等の種々のファイル形式が採用され得る。
【００５５】
＜同意取得処理＞
本実施の形態に係る情報処理システムでは、サーバ装置３がサービスの提供に際してユーザからの同意が必要となった場合に、このユーザが使用するスマートフォン１へ同意要求メッセージを送信する。同意要求メッセージには、同意を取得する命令及び同意の種別等の情報が含まれる。同意要求メッセージを受信したスマートフォン１は、ユーザからの同意を取得すべく、同意行為を行う者を選択するための同意行為者選択画面を表示部１５に表示する。
【００５６】
図６は、同意行為者選択画面の一例を示す模式図である。本実施の形態に係る情報処理システムでは、同意行為を同意者本人が行う場合と、同意者とは異なる代諾者が行う場合とが存在する。図示の同意行為者選択画面では、同意行為を同意行為者本人が行うことを選択するためのボタン１０１と、同意行為を代諾者が行うことを選択するためのボタン１０２とが表示される。例えば、ボタン１０１には「本人が同意」のラベルが付され、ボタン１０２には「代諾者が同意」のラベルが付される。スマートフォン１の表示部１５には、ユーザの接触操作を検知するタッチパネルが操作部１６として設けられている。スマートフォン１は、ボタン１０１又はボタン１０２のいずれに対してタップ操作が行われたかを判定することによって、同意者が同意行為を行うことが選択されたか、又は、代諾者が同意行為者を行うことが選択されたかを判定する。
【００５７】
同意行為者選択画面においてボタン１０１に対するタップ操作がなされ、同意者本人が同意行為を行うことが選択された場合、スマートフォン１は、同意者の情報を入力するための同意者情報入力画面を表示する。図７は、同意者情報入力画面の一例を示す模式図である。本例の同意者情報入力画面では、「同意者（あなた）の氏名を入力してください。」のメッセージが表示され、このメッセージの下方に入力ボックス１０３が表示され、更にこの下方にボタン１０４が表示されている。入力ボックス１０３は同意者の氏名を入力するためのものである。入力ボックス１０３に対するタップ操作等が行われた場合、スマートフォン１はソフトウェアキーボード等を表示して、この入力ボックス１０３に入力する文字の入力を受け付ける。ボタン１０４には「次へ」のラベルが付されており、ボタン１０４に対するタップ操作がなされた場合にスマートフォン１は、同意行為の受け付けを次の段階へと進める。なお、入力ボックス１０３に文字が入力されていない場合、スマートフォン１は、ボタン１０４に対する操作を受け付けなくてもよい。また本例では、同意者に関する情報として氏名の入力を要求するものとするが、例えば住所、メールアドレス又は電話番号等の入力を要求してもよい。
【００５８】
同意者情報入力画面において同意者の氏名が入力され、ボタン１０４に対するタップ操作がなされた場合、スマートフォン１は、同意行為を受け付けるための同意画面を表示する。図８及び図９は、同意画面の一例を示す模式図である。本例の同意画面では、「個人情報の取扱いについて」のラベルの下方に情報表示領域１０５が設けられる。情報表示領域１０５には、同意を求める条件又は規約等の詳細な情報（以下、同意情報という）が文字又は画像として表示される。これらの詳細な同意情報は、情報量が多く、スマートフォン１の表示部１５の一画面内に収まらない可能性が高い。このため同意画面は、例えばスワイプ操作により上下方向へ表示をスクロールさせることが可能であり、画面の右端にはスクロール位置を示すスライドバー１０６が設けられている。図８には同意画面の最上部の表示例を示し、図９には同意画面の最下部の表示例を示している。
【００５９】
同意画面を最下部までスクロールさせた場合、情報表示領域１０５の下方には「個人情報の取扱いに同意しますか？」のメッセージと、「同意者氏名：ＭＭＭ様」のメッセージとが表示され、このメッセージの下方には顔撮影領域１０７が表示される。メッセージ中の同意者氏名は、図７に示した同意者情報入力画面にて入力を受け付けた氏名である。顔撮影領域１０７には、スマートフォン１のカメラ１３が撮影する画像が表示される。顔撮影領域１０７の内部には、同意行為者（同意者）の顔を収めるガイドマークが表示され、同意行為者はこのガイドマークに自身の顔が収まるように自身の顔に対するスマートフォン１の位置を調整する。なおこのときにスマートフォン１は、スマートフォン１の筐体の正面側、表示部１５の上側に設けられたカメラ１３にて撮影を行い、背面側に設けられたカメラ１３（図示は省略する）での撮影は行わない。顔撮影領域１０７の下方には、同意行為を受け付けるための同意ボタン１０８が表示される。同意ボタン１０８に対するタップ操作を行うことで、同意行為者による同意行為が行われたとみなされる。
【００６０】
また本実施の形態に係る情報処理システムでは、スマートフォン１は、カメラ１３が撮影する画像から人間の顔を検出する顔検出の処理を行う。本例においてスマートフォン１は、同意画面の顔撮影領域１０７のガイドマーク内に人間の顔が検出されているか否かに応じて、同意ボタン１０８の有効化／無効化を切り替える処理を行う。図９に示す例では、顔撮影領域１０７に人間の顔は写されていない（検出されていない）ため、同意ボタン１０８は無効化されており、同意ボタン１０８に対するタップ操作、即ち同意行為の操作は受け付けられない。
【００６１】
図１０は、同意ボタン１０８が有効化された同意画面の一例を示す模式図である。本例では、同意画面の顔撮影領域１０７のガイドマーク内に人間の顔が検出されたことにより、スマートフォン１は、同意ボタン１０８を有効化している。なお本図では、同意ボタン１０８にハッチングを付すことにより、同意ボタン１０８が有効化されたことを表している。この状態で同意ボタン１０８に対するタップ操作がなされた場合、スマートフォン１は、このタップ操作を同意行為として受け付け、このときに顔撮影領域１０７に表示されていた画像、即ち同意行為者の顔画像を取得する。また本実施の形態に置いてスマートフォン１は、このときのスクリーンショット画像を更に取得する。スクリーンショット画像は、スマートフォン１の表示部１５に表示されている画像全体を保存したものであり、図１０に示された表示部１５内の表示例に相当する画像がスクリーンショット画像として取得される。
【００６２】
同意ボタン１０８に対するタップ操作により同意行為者による同意行為がなされた場合、スマートフォン１は、同意要求メッセージに対する応答メッセージをサーバ装置３へ送信する。応答メッセージには、同意者情報入力画面にて入力を受け付けた同意者の氏名、同意画面にて撮影された同意行為者の顔画像、及び、同意行為がなされた際のスクリーンショット画像の情報が含まれる。またスマートフォン１は、同意行為がなされたアプリケーションプログラムのアプリケーションＩＤ、同意種別及び同意日時等の情報を応答メッセージに含めてもよい。応答メッセージを受信したサーバ装置３は、受信した応答メッセージに含まれるこれらの情報を、記憶部３２の同意情報ＤＢ３２ｂに対応付けて記憶する。
【００６３】
また本実施の形態に係る情報処理システムでは、同意行為を行うことが難しい同意者の代わりに、代諾者が同意行為を行うことができる。図６に示した同意行為者選択画面においてボタン１０２に対するタップ操作がなされ、代諾者が同意行為を行うことが選択された場合、スマートフォン１は、同意者及び代諾者の情報を入力するための同意者代諾者情報入力画面を表示する。
【００６４】
図１１は、同意者代諾者情報入力画面の一例を示す模式図である。本例の同意者代諾者情報入力画面では、「代諾者（あなた）の氏名を入力してください。」のメッセージが表示され、このメッセージの下方に第１入力ボックス１０９が表示される。また第１入力ボックス１０９の下方には、「同意者の氏名を入力してください。」のメッセージが表示され、このメッセージの下方に第２入力ボックス１１０が表示され、更にこの下方にボタン１１１が表示される。第１入力ボックス１０９は代諾者の氏名を入力するためのものであり、第２入力ボックス１１０は同意者の氏名を入力するためのものである。ボタン１１１には「次へ」のラベルが付されており、ボタン１１１に対するタップ操作がなされた場合にスマートフォン１は、同意行為の受け付けを次の段階へと進める。なお、第１入力ボックス１０９又は第２入力ボックス１１０に文字が入力されていない場合、スマートフォン１は、ボタン１１１に対する操作を受け付けなくてもよい。
【００６５】
同意者代諾者情報入力画面において代諾者の氏名及び同意者の氏名が入力され、ボタン１１１に対するタップ操作がなされた場合、スマートフォン１は、同意行為を受け付けるための同意画面を表示する。このときにスマートフォン１が表示する同意画面は、図８〜図１０に示した同意画面と同じであるため、図示は省略する。この場合、同意画面の顔撮影領域１０７を利用して撮影される顔は、代諾者の顔である。このため、同意画面の顔撮影領域１０７の上側には、同意者氏名ではなく、同意者代諾者情報入力画面にて入力を受け付けた代諾者氏名が表示される。顔撮影領域１０７に代諾者の顔が検出された状態で同意ボタン１０８に対するタップ操作が行われた場合、スマートフォン１は、この操作を代諾者の代理での同意行為として受け付け、顔撮影領域１０７の顔画像と、表示部１５のスクリーンショット画像とを取得する。
【００６６】
次いでスマートフォン１は、代諾者が同意者の顔画像を撮影するための同意者撮影画面を表示する。図１２は、同意者撮影画面の一例を示す模式図である。本例の同意者撮影画面は、図８〜図１０に示した同意画面と略同じ構成であり、同意画面の同意ボタン１０８を、「撮影する」のラベルが付された撮影ボタン１１２に代えた構成である。ただしスマートフォン１は、同意画面を表示している際には正面側のカメラ１３にて撮影を行うが、同意者撮影画面を表示している際には背面側のカメラ１３にて撮影を行う。なお、同意者撮影画面には、同意情報が表示されていなくてもよい。
【００６７】
撮影ボタン１１２に対するタップ操作により代諾者による同意者の撮影がなされた場合、スマートフォン１は、同意要求メッセージに対する応答メッセージをサーバ装置３へ送信する。応答メッセージには、同意者情報入力画面にて入力を受け付けた同意者及び代諾者の氏名、同意画面にて撮影された同意行為者（代諾者）の顔画像、同意行為がなされた際のスクリーンショット画像の情報、及び、同意者撮影画面にて撮影された同意者の顔画像が含まれる。またスマートフォン１は、同意行為がなされたアプリケーションプログラムのアプリケーションＩＤ、同意種別及び同意日時等の情報を応答メッセージに含めてもよい。応答メッセージを受信したサーバ装置３は、受信した応答メッセージに含まれるこれらの情報を、記憶部３２の同意情報ＤＢ３２ｂに対応付けて記憶する。
【００６８】
なお同意者の顔画像の撮影は、代諾者が同意行為を行う際に行われず、後の別の機会に行われてもよい。このためスマートフォン１は、同意者撮影画面を表示する前に、同意者の顔画像を撮影するか否かを代諾者に問い合わせ、同意者の撮影を行う旨の回答が得られた場合に同意者撮影画面を表示してもよい。
【００６９】
＜フローチャート＞
図１３及び図１４は、本実施の形態に係るスマートフォン１が行う同意取得処理の手順を示すフローチャートである。本実施の形態に係るスマートフォン１の処理部１１は、サーバ装置３から同意要求メッセージを受信したか否かを判定する（ステップＳ１）。同意要求メッセージを受信していない場合（Ｓ１：ＮＯ）、処理部１１は、同意要求メッセージを受信するまで待機する。
【００７０】
同意要求メッセージを受信した場合（Ｓ１：ＹＥＳ）、処理部１１の表示処理部１１ａは、図６に示した同意行為者選択画面を表示部１５に表示する（ステップＳ２）。
【００７１】
処理部１１は、同意行為者選択画面においてボタン１０１又はボタン１０２のいずれが選択されたかに応じて、「本人が同意」が選択されたか否かを判定する（ステップＳ３）。
【００７２】
同意行為者選択画面において「本人が同意」が選択された場合（Ｓ３：ＹＥＳ）、表示処理部１１ａは、図７に示した同意者情報入力画面を表示部１５に表示する（ステップＳ４）。
【００７３】
処理部１１の情報入力受付部１１ｂは、同意者情報入力画面における情報の入力が完了したか否かを判定する（ステップＳ５）。なお情報の入力が完了したか否かは、同意者情報入力画面の入力ボックス１０３に同意者の氏名が入力され、且つ、ボタン１０４に対するタップ操作がなされたか否かにより判定される。情報の入力が完了していない場合（Ｓ５：ＮＯ）、情報入力受付部１１ｂは、ステップＳ４へ処理を戻し、同意者情報入力画面の表示を維持して、情報の入力が完了するまで待機する。
【００７４】
情報の入力が完了した場合（Ｓ５：ＹＥＳ）、処理部１１の切替部１１ｈは、スマートフォン１の筐体の正面に設けられたカメラ１３を起動して撮影を開始する（ステップＳ６）。
【００７５】
表示処理部１１ａは、図８に示した同意画面を表示部１５に表示する（ステップＳ７）。
【００７６】
処理部１１は、表示部１５に表示された同意画面が最下部までスクロールされたか否かを判定する（ステップＳ８）。同意画面が最下部までスクロールされていない場合（Ｓ８：ＮＯ）、処理部１１は、ステップＳ７へ処理を戻し、同意画面の表示を継続する。
【００７７】
同意画面が最下部までスクロールされた場合（Ｓ８：ＹＥＳ）、処理部１１の顔検出部１１ｃは、カメラ１３が撮影する画像に対する顔検出処理を行う（ステップＳ９）。
【００７８】
処理部１１は、顔検出部１１ｃの処理結果に基づいて、同意画面の顔撮影領域１０７の所定位置における同意行為者（同意者）の顔の有無を判定する（ステップＳ１０）。顔撮影領域１０７の所定位置に顔がない場合（Ｓ１０：ＮＯ）、処理部１１は、ステップＳ９へ処理を戻し、カメラ１３による撮影及び撮影画像からの顔検出処理を継続して行う。
【００７９】
顔撮影領域１０７の所定位置に顔がある場合（Ｓ１０：ＹＥＳ）、処理部１１は、同意画面の最下部に設けられた同意ボタン１０８を有効化する（ステップＳ１１）。
【００８０】
処理部１１の同意行為受付部１１ｄは、同意画面の同意ボタン１０８に対するタップ操作がなされたか否かに応じて、同意行為者による同意行為がなされたか否かを判定する（ステップＳ１２）。同意行為がなされていない場合（Ｓ１２：ＮＯ）、処理部１１は、ステップＳ９へ処理を戻す。
【００８１】
同意行為がなされた場合（Ｓ１２：ＹＥＳ）、処理部１１の顔画像取得部１１ｅは、同意行為がなされた際にカメラ１３により撮影されていた（顔撮影領域１０７に映されていた）同意行為者の顔画像を取得する（ステップＳ１３）。
【００８２】
また処理部１１のスクリーンショット取得部１１ｆは、同意行為がなされた際に表示部１５に表示されていた画像のスクリーンショット画像を取得する（ステップＳ１４）。
【００８３】
処理部１１の記憶処理部１１ｇは、同意者情報入力画面にて入力を受け付けた同意者の氏名、ステップＳ１３にて取得した顔画像、及び、ステップＳ１４にて取得したスクリーンショット画像等の情報を含む応答メッセージをサーバ装置３へ送信し（ステップＳ１５）、これらの情報をサーバ装置３に記憶させて、処理を終了する。
【００８４】
一方、同意行為者選択画面において「本人が同意」が選択されなかった場合（Ｓ３：ＮＯ）、即ち「代諾者が同意」が選択された場合、表示処理部１１ａは、図１１に示した同意者代諾者情報入力画面を表示部１５に表示する（ステップＳ２１）。
【００８５】
処理部１１の情報入力受付部１１ｂは、同意者代諾者情報入力画面における情報の入力が完了したか否かを判定する（ステップＳ２２）。なお情報の入力が完了したか否かは、同意者代諾者情報入力画面の第１入力ボックス１０９に代諾者の氏名が入力され、第２入力ボックス１１０に同意者の氏名が入力され、且つ、ボタン１１１に対するタップ操作がなされたか否かにより判定される。情報の入力が完了していない場合（Ｓ２２：ＮＯ）、情報入力受付部１１ｂは、ステップＳ２１へ処理を戻し、同意者代諾者情報入力画面の表示を維持して、情報の入力が完了するまで待機する。
【００８６】
情報の入力が完了した場合（Ｓ２２：ＹＥＳ）、処理部１１の切替部１１ｈは、スマートフォン１の筐体の正面に設けられたカメラ１３を起動して撮影を開始する（ステップＳ２３）。
【００８７】
表示処理部１１ａは、図８に示した同意画面を表示部１５に表示する（ステップＳ２４）。
【００８８】
処理部１１は、表示部１５に表示された同意画面が最下部までスクロールされたか否かを判定する（ステップＳ２５）。同意画面が最下部までスクロールされていない場合（Ｓ２５：ＮＯ）、処理部１１は、ステップＳ２４へ処理を戻し、同意画面の表示を継続する。
【００８９】
同意画面が最下部までスクロールされた場合（Ｓ２５：ＹＥＳ）、処理部１１の顔検出部１１ｃは、カメラ１３が撮影する画像に対する顔検出処理を行う（ステップＳ２６）。
【００９０】
処理部１１は、顔検出部１１ｃの処理結果に基づいて、同意画面の顔撮影領域１０７の所定位置における同意行為者（代諾者）の顔の有無を判定する（ステップＳ２７）。顔撮影領域１０７の所定位置に顔がない場合（Ｓ２７：ＮＯ）、処理部１１は、ステップＳ２６へ処理を戻し、カメラ１３による撮影及び撮影画像からの顔検出処理を継続して行う。
【００９１】
顔撮影領域１０７の所定位置に顔がある場合（Ｓ２７：ＹＥＳ）、処理部１１は、同意画面の最下部に設けられた同意ボタン１０８を有効化する（ステップＳ２８）。
【００９２】
処理部１１の同意行為受付部１１ｄは、同意画面の同意ボタン１０８に対するタップ操作がなされたか否かに応じて、同意行為者による同意行為がなされたか否かを判定する（ステップＳ２９）。同意行為がなされていない場合（Ｓ２９：ＮＯ）、処理部１１は、ステップＳ２６へ処理を戻す。
【００９３】
同意行為がなされた場合（Ｓ２９：ＹＥＳ）、処理部１１の顔画像取得部１１ｅは、同意行為がなされた際にカメラ１３により撮影されていた（顔撮影領域１０７に映されていた）同意行為者の顔画像を取得する（ステップＳ３０）。
【００９４】
また処理部１１のスクリーンショット取得部１１ｆは、同意行為がなされた際に表示部１５に表示されていた画像のスクリーンショット画像を取得する（ステップＳ３１）。
【００９５】
次いで処理部１１の切替部１１ｈは、スマートフォン１の筐体の背面に設けられたカメラ１３を起動して撮影を開始する（ステップＳ３２）。
【００９６】
表示処理部１１ａは、図１２に示した同意者撮影画面を表示部１５に表示する（ステップＳ３３）。
【００９７】
処理部１１の顔検出部１１ｃは、カメラ１３が撮影する画像に対する顔検出処理を行う（ステップＳ３４）。
【００９８】
処理部１１は、顔検出部１１ｃの処理結果に基づいて、同意者撮影画面の顔撮影領域１０７の所定位置における同意者の顔の有無を判定する（ステップＳ３５）。顔撮影領域１０７の所定位置に顔がない場合（Ｓ３５：ＮＯ）、処理部１１は、ステップＳ３２へ処理を戻し、カメラ１３による撮影及び撮影画像からの顔検出処理を継続して行う。
【００９９】
顔撮影領域１０７の所定位置に顔がある場合（Ｓ３５：ＹＥＳ）、処理部１１は、同意者撮影画面の最下部に設けられた撮影ボタン１１２を有効化する（ステップＳ３６）。
【０１００】
処理部１１は、同意者撮影画面の撮影ボタン１１２に対するタップ操作がなされたか否かに応じて、代諾者による同意者の撮影操作がなされたか否かを判定する（ステップＳ３７）。撮影操作がなされていない場合（Ｓ３７：ＮＯ）、処理部１１は、ステップＳ３２へ処理を戻す。
【０１０１】
撮影操作がなされた場合（Ｓ３７：ＹＥＳ）、処理部１１の顔画像取得部１１ｅは、撮影操作がなされた際に顔撮影領域１０７に映されていた同意者の顔画像を取得する（ステップＳ３８）。
【０１０２】
処理部１１の記憶処理部１１ｇは、同意者代諾者情報入力画面にて入力を受け付けた同意者及び代諾者の氏名、ステップＳ３０にて取得した代諾者の顔画像、ステップＳ３１にて取得したスクリーンショット画像、及び、ステップＳ３８にて取得した同意者の顔画像等の情報を含む応答メッセージをサーバ装置３へ送信し（ステップＳ３９）、これらの情報をサーバ装置３に記憶させて、処理を終了する。
【０１０３】
図１５は、本実施の形態に係るサーバ装置３が行う同意取得処理の手順を示すフローチャートである。本実施の形態に係るサーバ装置３の処理部３１の同意要求部３１ａは、サービスの提供に際してユーザの同意を得る必要が生じた場合、同意を取得する命令及び同意の種別等の情報を含む同意要求メッセージをスマートフォン１へ送信する（ステップＳ５１）。
【０１０４】
処理部３１の情報取得部３１ｂは、同意要求メッセージに対するスマートフォン１からの応答メッセージを受信したか否かを判定する（ステップＳ５２）。応答メッセージを受信していない場合（Ｓ５２：ＮＯ）、情報取得部３１ｂは、応答メッセージを受信するまで待機する。
【０１０５】
応答メッセージを受信した場合（Ｓ５２：ＹＥＳ）、情報取得部３１ｂは、受信した応答メッセージに含まれる同意行為者の氏名、顔画像及びスクリーンショット画像等の情報を取得する（ステップＳ５３）。
【０１０６】
情報取得部３１ｂは、取得したこれらの情報を対応付けで記憶部３２の同意情報ＤＢ３２ｂに記憶し（ステップＳ５４）、処理を終了する。
【０１０７】
＜まとめ＞
以上の構成の本実施の形態に係る情報処理システムでは、スマートフォン１がカメラ１３及び表示部１５を備える。スマートフォン１は、個人情報の取扱いに関する同意又は利用規約に対する同意等を求める文章等の同意情報を表示する情報表示領域１０５と、カメラ１３が撮影する画像を表示する顔撮影領域１０７とが共に設けられた同意画面を表示部１５に表示する。スマートフォン１は、顔撮影領域１０７に表示された同意行為者の顔画像を取得し、取得した顔画像をサーバ装置３へ送信することで、サーバ装置３の同意情報ＤＢ３２ｂに記憶する処理を行う。同意画面において同意情報と共に顔撮影領域１０７に表示された者の顔画像を取得して記憶しておくことにより、同意情報に対する同意行為を行った同意行為者の顔画像を記憶しておくことができる。
【０１０８】
また本実施の形態に係るスマートフォン１は、同意情報を表示する情報表示領域１０５及び顔画像を撮影する顔撮影領域１０７と共に、同意行為に係る操作を受け付けるための同意ボタン１０８を同意画面に表示する。またスマートフォン１は、カメラ１３が撮影する画像に含まれる顔を検出する顔検出処理を行う。スマートフォン１は、撮影画像中に顔を検出している場合に同意ボタン１０８を有効化して操作を受け付け、顔を検出していない場合には同意ボタン１０８を無効化して操作を受け付けない。これによりスマートフォン１は、同意行為を行う者の顔画像を確実に取得することができる。
【０１０９】
また本実施の形態に係るスマートフォン１は、同意画面を表示部１５においてスクロールして表示する。スマートフォン１は、同意画面において同意情報を表示する情報表示領域１０５の後に、情報表示領域１０５と共に顔撮影領域１０７を表示する。情報表示領域１０５を先に表示し、その後に顔撮影領域１０７を表示することによって、同意行為者に対して同意情報を確実に確認させることができる。
【０１１０】
また本実施の形態に係るスマートフォン１は、同意行為者（同意者又は代諾者）に係る情報、例えば氏名、生年月日及び住所等の情報の入力を受け付け、受け付けた情報と顔画像とを対応付けてサーバ装置３の同意情報ＤＢ３２ｂに記憶する。これにより、同意行為者に係る様々な情報を顔画像と共に記憶することができ、同意行為者が誰であるかの特定を容易化できる。
【０１１１】
また本実施の形態に係るスマートフォン１は、表示部１５に表示された情報表示領域１０５及び顔撮影領域１０７を含む同意画面のスクリーンショット画像を取得し、同意行為者の顔画像と対応付けてサーバ装置３の同意情報ＤＢ３２ｂに記憶する。これにより、情報表示領域１０５に表示された同意情報と顔撮影領域１０７に映された顔とを含む１つの画像を記憶しておくことができ、顔を撮影された者が同意行為者であることを証明することができる。また、スクリーンショット画像に含まれる顔撮影領域１０７の画像は、同意行為者の顔画像と一致する。スクリーンショット画像に含まれる顔撮影領域１０７の画像と同意行為者の顔画像とを比較することにより、同意行為者の情報と対応づけられた顔画像が、同意行為者の顔画像であることをより明確に証明できる。
【０１１２】
また本実施の形態に係る情報処理システムでは、同意者が同意行為を行う代わりに、代諾者（代理者）が同意行為を代理で行うことができる。スマートフォン１は、同意者代諾者情報入力画面にて同意者及び代諾者に係る情報の入力を受け付けて、受け付けた情報と顔画像とをサーバ装置３の同意情報ＤＢ３２ｂに対応付けて記憶する。これにより、例えば体の不自由な人又は年少者等のように同意行為を行うことが難しい者に代わって代諾者が同意行為を代理で行うことができる。
【０１１３】
また本実施の形態に係るスマートフォン１は、同意行為を同意者が行うか又は代諾者が行うかに応じて、同意者を撮影する際のカメラ１３による撮影の方向を切り替える。スマートフォン１は、例えば筐体の正面及び背面にそれぞれカメラ１３を搭載しており、代諾者が同意行為を行う場合に同意画面において正面側のカメラ１３にて撮影を行い、代諾者が同意者の撮影を行う場合に同意者撮影画面において背面側のカメラ１３にて撮影を行う。またスマートフォン１は、例えば可動により撮影方向が変更可能なカメラ１３を備えてもよく、この場合には同意者の撮影に適した方向へカメラ１３を動かして撮影を行ってもよい。これにより、同意者の顔画像を取得するための撮影が容易化される。
【０１１４】
なお本実施の形態においては、スマートフォン１の表示部１５に表示される同意画面は上下方向にスクロールされるものとしたが、これに限るものではなく、例えば左右方向へスクロールされてもよい。同意画面が右から左へスクロールされる場合には顔撮影領域１０７は同意画面の左端に表示され、同意画面が左から右へスクロールされる場合には顔撮影領域１０７は同意画面の右端に表示される。またスマートフォン１は、同意画面の情報表示領域１０５と顔撮影領域１０７とを別レイヤーとして重ねて表示し、情報表示領域１０５の同意情報をスクロール表示させ、顔撮影領域１０７は常に表示させてもよい。同意画面の情報表示領域１０５及び顔撮影領域１０７は、表示部１５の１つの画面中に同時に表示されていればよい。
【０１１５】
またスマートフォン１は、同意行為者の顔画像のみでなく、同意行為者の体の他の部分の画像を取得してもよい。またスマートフォン１は、同意行為者の静止画像を取得するのではなく、動画像を取得してもよい。この場合にスマートフォン１は、例えば同意画面を表示してから同意ボタン１０８がタップ操作されるまでにカメラ１３が撮影した動画像を取得してサーバ装置３の同意情報ＤＢ３２ｂに記憶してもよい。ただし動画像には同意行為者の顔が撮影されていることが好ましい。
【０１１６】
また同意行為者による同意行為の受け付けを、スマートフォン１又はスマートスピーカ等の音声入力が可能な装置で行ってもよい。この場合に音声入力が可能な装置は、同意行為者の氏名等の情報入力、及び、同意行為を、自然言語処理などの技術を利用して、音声により受け付けてもよい。
【０１１７】
またスマートフォン１は、表示部１５に表示した同意画面のスクロール速度を取得して顔画像と共にサーバ装置３の同意情報ＤＢ３２ｂに記憶してもよい。スクロール速度が所定の範囲である場合、同意行為の際に、同意行為者が同意情報を読んでいたことを推認できる。また、スマートフォン１は、同意画面のスクロール速度に応じて、同意ボタン１０８の有効化／無効化の切り替えを行ってもよい。これにより、スクロール速度を所定の範囲に制限し、同意行為者に同意情報をより確実に確認させることができる。
【０１１８】
＜実施の形態２＞
実施の形態２に係る情報処理システムは、サーバ装置３の同意情報ＤＢ３２ｂに記憶された顔画像を利用して、既に同意行為を行った同意者又は代諾者を探索するシステム、換言すれば未だに同意行為を行っていない者を探索するシステムである。この探索機能を利用するユーザは、スマートフォン１のカメラ１３を利用して周辺の撮影を行う。実施の形態２に係るスマートフォン１は、カメラ１３にて撮影された画像に含まれる人の顔を検出し、検出した顔の画像をサーバ装置３へ送信する。
【０１１９】
実施の形態２に係るサーバ装置３は、スマートフォン１から受信した顔画像と、同意情報ＤＢ３２ｂに記憶された顔画像との比較を行う。サーバ装置３は、両顔画像の比較結果に基づいて、スマートフォン１から受信した顔画像の人物が、同意情報ＤＢ３２ｂに記憶された顔画像の人物と一致するか否かを判定し、判定結果をスマートフォン１へ送信する。
【０１２０】
スマートフォン１は、サーバ装置３から受信した判定結果に基づいて、カメラ１３にて撮影された画像に含まれる人物が、既に同意行為を行った同意者又は代諾者であるか否かを表示する。図１６は、スマートフォン１に表示される探索画面の一例を示す模式図である。スマートフォン１は、カメラ１３にて撮影された画像を表示部１５に表示し、この画像から検出された顔を囲む四角形枠１１３ａ〜１１３ｃを表示する。例えばスマートフォン１は、サーバ装置３の同意情報ＤＢ３２ｂに記憶された同意者の顔画像と同一人物と判定された顔を囲む四角形枠１１３ａを赤色（本図においては太線で表現する）で表示する。スマートフォン１は、サーバ装置３の同意情報ＤＢ３２ｂに記憶された代諾者の顔画像と同一人物と判定された顔を囲む四角形枠１１３ｂを青色（本図において細線で表現する）で表示する。スマートフォン１は、同意者又は代諾者と一致しなかった顔を囲む四角形枠１１３ｃを白色（本図において破線で表現する）で表示する。これらの色分け表示を行うことによって、ユーザは周辺に存在する人が同意者又は代諾者として既に同意情報ＤＢ３２ｂに記憶された人であるか否かを容易に判断することができる。
【０１２１】
以上の構成の実施の形態２に係る情報処理システムは、サーバ装置３の同意情報ＤＢ３２ｂに既に記憶された顔画像に基づいて、スマートフォン１のカメラ１３により撮影された画像に含まれる同意者又は未同意者を検出する。スマートフォン１が撮影した画像に含まれる顔を検出し、検出した顔が既に同意情報ＤＢ３２ｂに記憶された顔画像と一致するか否かをサーバ装置３が判定する。顔画像が一致する場合にはこの顔の人を同意者とみなし、一致しない場合にはこの顔の人を見同意者とみなすことができる。これによりユーザはスマートフォン１を利用して同意者又は未同意者を容易に探し出すことができる。
【０１２２】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１２３】
１  スマートフォン（情報処理装置、コンピュータ）
３  サーバ装置（記憶装置）
１１  処理部
１１ａ  表示処理部
１１ｂ  情報入力受付部（情報受付部）
１１ｃ  顔検出部
１１ｄ  同意行為受付部
１１ｅ  顔画像取得部
１１ｆ  スクリーンショット取得部
１１ｇ  記憶処理部
１１ｈ  切替部
１２  記憶部
１２ａ  プログラム（コンピュータプログラム）
１３  カメラ
１４  通信部
１５  表示部
１６  操作部
３１  処理部
３１ａ  同意要求部
３１ｂ  情報取得部
３２  記憶部
３２ａ  サーバプログラム
３２ｂ  同意情報ＤＢ
３２ｃ  画像記憶部
３３  通信部
１０１  ボタン
１０２  ボタン
１０３  入力ボックス
１０４  ボタン
１０５  情報表示領域（同意情報）
１０６  スライドバー
１０７  顔撮影領域（撮影画像領域）
１０８  同意ボタン（操作受付部）
１０９  第１入力ボックス
１１０  第２入力ボックス
１１１  ボタン
１１２  撮影ボタン
１１３ａ〜１１３ｃ  四角形枠
【要約】
【課題】同意行為を行った者に関する情報を記録しておくことができる情報処理装置、情報処理システム、コンピュータプログラム及び情報処理方法を提供する。
【解決手段】本実施の形態に係る情報処理装置は、表示部及びカメラを備える情報処理装置であって、同意の要求に係る同意情報及び前記カメラが撮影する画像を表示する撮影画像領域を共に、前記表示部に表示する処理を行う表示処理部と、前記撮影画像領域に表示された同意行為者の顔画像を取得する顔画像取得部と、前記顔画像取得部が取得した顔画像を記憶部に記憶する処理を行う記憶処理部とを備える。情報処理システムは、情報処理装置と、前記情報処理装置の記憶処理部の処理により前記顔画像を記憶する前記記憶部を有する記憶装置とを備え、前記情報処理装置の前記記憶処理部は、前記顔画像取得部が取得した顔画像を前記記憶装置へ送信して、当該記憶装置の前記記憶部に記憶させる。
【選択図】図９【図１】
0006725926.tif 000002
【図２】
0006725926.tif 000003
【図３】
0006725926.tif 000004
【図４】
0006725926.tif 000005
【図５】
0006725926.tif 000006
【図６】
0006725926.tif 000007
【図７】
0006725926.tif 000008
【図８】
0006725926.tif 000009
【図９】
0006725926.tif 000010
【図１０】
0006725926.tif 000011
【図１１】
0006725926.tif 000012
【図１２】
0006725926.tif 000013
【図１３】
0006725926.tif 000014
【図１４】
0006725926.tif 000015
【図１５】
0006725926.tif 000016
【図１６】
0006725926.tif 000017